(57)【要約】【課題】  近年、高濃度炭酸温水による頭皮および頭髪のケアが注目を浴びているが、高濃度炭酸温水を頭部にシャワーなどで掛けながらマッサージする方法が一般的であり、その効果を最大限に上げるためには、５分から１０分間行うことが好ましい。しかしながら、それだけの時間行おうとすると、施術者への負担が大きいばかりか、お湯や炭酸ガスの消費量が増えて非経済的である。【解決手段】シャンプーボウルなどに溜めた高濃度炭酸温水をポンプなどにより吸い上げて広い面から頭部全体に静かに流し、再びシャンプーボウルに戻すような循環を行うことにより、施術者への負担を減らすとともに、お湯や炭酸ガスの消費を抑えることができる。さらに、本発明では、パーマロッドを巻いた状態でも髪全体に掛け流せる方法と用具を具体的に提案している。これにより、パーマの仕上がりも良くなることが期待できる。【選択図】図２
2014042794.tif 000002
【特許請求の範囲】
【請求項１】
人の顔がほぼ上向きになるように仰向けになった状態で、液体を収容できる容器を頭部の下側に配置し、該容器に頭皮や頭髪ケアに有効な液体を満たし、内部に薄く広い空間を有する中空容器を頭部に装着し、前記中空容器にチューブを通して前記容器内の液体をポンプで送水し、前記中空容器の下方向（頭部方向）に設けられた複数の穴から前記ポンプにより送水された液体を頭部に向かって排出することにより、ポンプにより送水された液体が頭部全体をほぼ均等に流れて前記容器に再び戻るようになされた、頭皮および頭髪のケア方法
【請求項２】
前記液体が、お湯に炭酸ガスが３００ｐｐｍ以上の濃度で溶けた炭酸ガス含有温水であることを特徴とする請求項１に記載の頭皮および頭髪のケア方法
【請求項３】
前記液体がトリートメント剤を含有する液体であることを特徴とする請求項１に記載の頭皮および頭髪のケア方法
【請求項４】
液体を収容する容器が美容室等で使用しているシャンプーボウルであることを特徴とする請求項１に記載の頭皮および頭髪のケア方法
【請求項５】
上下２枚の湾曲した板状のカバーの間に入口部を除き液密に閉じた薄く広い空間を有する中空容器であり、下側のカバー内側に額からこめかみを通って少なくとも両側の耳の上部近傍まで達する様な、ほぼ半円状の形状を有する弾性体のバンドを有し、該中空容器の下側のカバーに複数の穴を有し、前記空間に液体を送り込む入口部を有し、液体を送水するポンプを有し、前記入口とポンプがチューブで接続されていることを特徴とする頭皮および頭髪のケア用具
【発明の詳細な説明】
【技術分野】
【０００１】  本発明は、温度が３５℃以上で炭酸ガスの含有濃度が３００ｐｐｍ以上の炭酸温水を頭皮および頭髪に長時間接触させることにより頭皮および頭髪をケアする技術に関するものである。【０００２】  また、本発明は、トリートメント剤を含有する液体を頭皮および頭髪に長時間接触させることにより頭髪をケアする技術に関するものである。【０００３】  さらに、本発明は炭酸温水やトリートメント剤を含有する液体を頭皮や頭髪に接触させる際、桶などに入れた炭酸温水や液体に頭を下にして浸けるのではなく、仰向けになった姿勢で楽に行うことができる頭皮および頭髪のケア技術に関するものである。
【背景技術】
【０００４】  最近、理美容室やエステにおいて高濃度炭酸温水で頭皮や頭髪のケアを行う施術が増えている。方法としては給湯器から供給されるお湯に炭酸ガスを溶かし、出来上がった炭酸温水をシャワーや専用のノズルで頭部にシャワーリングしながらマッサージなどを行う方法が一般的である。【０００５】  また、炭酸温水をシャンプーボウルなどに溜めて、そこに髪を漬けるとともにその炭酸温水を手や手桶などを使って定期的に額の上から頭部に掛けて頭皮や頭髪への炭酸温水の接触時間を増やす方法も行われている。【０００６】  炭酸温水による頭皮や頭髪のケアにおいては、短時間の接触では炭酸温水の効果が十分得られないため、炭酸温水を少なくとも５分以上、できれば１０分程度、頭皮や頭髪に接触させておくことが望ましい。
【発明が解決しようとする課題】
【０００７】  炭酸温水をシャワーや専用ノズルで頭皮や頭髪に掛ける場合、少なくとも５分以上、好ましくは１０分以上頭皮や頭髪に掛ける必要があるが、その間、連続的に炭酸温水を生成してシャワーすると、お湯と炭酸ガスの消費量が多くなり非経済的であるとともに、施術者への負担が非常に大きくなる。
【０００８】  また、炭酸温水をシャンプーボウルなどに溜めて、その炭酸温水を定期的に頭皮や頭部に手や容器を使って掛ける方法もあるが、これは、前記のシャワーする場合と同様で、その間施術者が拘束されてしまう。
【０００９】  シャンプーボウルに溜めた炭酸温水を、ポンプで吸い上げて、その先にシャワーヘッドや下方に穴の開いたパイプを取り付け、頭部にシャワーする方法もあり、この場合は施術者が拘束されずにすむが、通常のシャワーヘッドでは頭部の一部分にしかシャワーできず、頭部全体にシャワーすることが出来ない。また、パイプ状の用具の下方に穴の開いた物を使用する場合も、ライン状に頭部に送水されるためパーマロットなどを巻いていると髪の下側を通り抜けロット上部の髪には掛からず、髪全体に流すことが出来ない。
【００１０】  また、シャンプーボウルなどに溜めた高濃度炭酸温水を手桶などで額の上部から頭部に掛ける場合、掛けた炭酸温水がシャンプーボウル内に落ちる際に滝のように落ち込むため、炭酸温水に衝撃を与えてしまい、炭酸温水から炭酸ガスが大量に抜け出し、急激に含有炭酸ガス濃度が下がってしまい効果が期待できなくなるという問題がある。
【００１１】  さらに、手で炭酸温水を頭皮や頭髪に掛ける場合も、手で炭酸温水をかき回すことになり、やはり炭酸ガスが急激に抜け出し、含有炭酸ガス濃度が下がってしまう。
【課題を解決するための手段】
【００１２】  本発明では、給湯器から供給される温水に炭酸ガスを高濃度に溶かした炭酸温水をシャワーヘッドなどから頭皮や頭髪にシャワーしながら頭皮のマッサージなどを行った後、シャワーヘッドから出る高濃度炭酸温水をシャンプーボウルなどに静かに溜め、その炭酸温水を後述の用具を用いて静かに頭皮や頭髪全体に流し再びシャンプーボウルに戻す方法と用具を提案している。
【００１３】  本発明の提案する用具は、シャンプーボウルなどに溜めた高濃度炭酸温水を吸い上げるポンプを有し、そのポンプの出口にチューブを接続し、そのチューブの先にある程度の面積を有し、頭部に沿った湾曲した面をもつ中空容器があり、その容器の下面、すなわち頭部側には複数の穴があけてあり、ポンプにより送水された炭酸温水はその穴から頭部に向かって排出される。
【００１４】  また、前記の中空容器には半円状の形状を保つ弾性体が取り付けてあり、その弾性体を額から両側のこめかみを通って耳の上部近傍に装着することにより、前記中空容器を頭部上方に固定することができる。
【００１５】  また、前記中空容器とポンプをつないでいるチューブのいずれかの場所に吸盤を配置し、その吸盤をシャンプーボウルの内側の面に固定することによりチューブが固定され、結果的に前記中空容器も前記弾性体とチューブによりしっかりと固定され、高濃度炭酸温水を頭部に循環している間にずれ落ちたりせず、さらにその間に頭皮マッサージなどを行ってもずれることが無い。
【００１６】  また、前記中空容器は頭部形状にある程度沿うように湾曲した形状を持ち、中空容器の内側に設けられた穴から出る炭酸温水は頭部に向かって放出され、周りに飛び散ることが無い。そして、放出された高濃度炭酸温水は頭皮や頭髪を伝って流れ落ち、再びシャンプーボウルに戻される。その際、放出された炭酸温水は静かに頭皮や頭髪を伝ってシャンプーボウル内に戻され、炭酸ガスが抜け出す量を極力抑えている。
【００１７】  さらに、シャンプーボウルに溜める液体は高濃度炭酸温水だけではなく、トリートメント剤を含有する液体であっても良いし、高濃度炭酸温水にトリートメント剤を混ぜたものであっても良く、その他の頭皮や頭髪ケアに役立つ薬剤であっても良い。
【発明を実施するための形態】
【００１８】  図１は本発明における代表的な実施例を示す。シャンプーボウル１の排水管２を栓で塞ぎ高濃度炭酸温水４を溜め、頭髪がその高濃度炭酸温水に浸かるようにする。もちろん、髪が短い場合には浸かるようにする必要はない。次に、中空容器７にチューブ６を取り付けポンプにつなぎ、中空容器７に設けられたバンド１０で額から両耳の上部に渡って装着し、中空容器につながっているポンプ５を炭酸温水４に沈める。さらに、チューブ６に設けられた吸盤９をシャンプーボウル１内面に貼り付けてチューブ６を固定する。
【００１９】  次に、ポンプ５のスイッチ（図示せず）を入れてポンプを作動させる。これにより炭酸温水４がポンプ５によりチューブ６を通って中空容器７に送られ、中空容器７に設けられた吐水穴（図示せず）から出た炭酸温水８が頭皮および頭髪を伝って静かに流れ落ちてシャンプーボウル１に溜められている炭酸温水４に戻される。
【００２０】  この循環を少なくとも５分間行うことにより、高濃度炭酸温水が常に頭皮と頭髪に接触し、高濃度炭酸温水の効果を十分に得ることができるだけではなく、施術者が付いている必要もない。
【００２１】  また、ポンプから送られる炭酸温水の量を少なくする（ポンプの出口径を小さくするかチューブ６の径を小さくする）ことにより、大量の炭酸温水が頭皮や頭髪を伝って滝のように流れ落ちるのではなく、少量の炭酸温水が静かに頭皮や頭髪を伝って流れ落ち、高濃度炭酸温水に衝撃を与えることが無く、含有している炭酸ガスが大量に抜け出すことを防ぐことができる。
【００２２】  したがって、最初にシャンプーボウル１に溜める炭酸温水の含有炭酸ガス濃度を１２００ｐｐｍ以上の高濃度にしておくことにより、５分間前記の循環を行っても、ほぼ１０００ｐｐｍ程度の濃度に保っておくことができ、高濃度炭酸温水の効果を持続させることができる。もちろん、カラーやパーマを行う際に高濃度ではなく低濃度（３００から５０ｐｐｍ）の炭酸泉を使用したい場合は、予め濃度を落とした炭酸温水をシャンプーボウル１に溜めておいても良い。
【００２３】  次に、図２に本発明の構成を示す。水中に沈められるポンプ５に柔軟性のあるチューブ６が接続され他端は中空容器７に接続されている。ポンプ５には、電源プラグ１３と途中にスイッチ１１が接続されている。スイッチ１１は必ずしも必要ないが、少なくとも感電防止の観点からトランスと整流器が設けられており、低電圧のＤＣ電源がポンプに供給されるものであることが望ましい。
【００２４】  次に、図３から５により中空容器７の詳細を示す。図３は、中空容器７を上から見た図で、図４は図３のＡ−Ａ断面を示す。さらに、図５は、図４のＢ部詳細図を示す。中空容器７は上カバー１４としたカバー１５により内部に空間１７が設けられている。さらに、下カバー１５には図５に示すように複数の穴１６が設けられている。また、下カバー１５には弾性体であるバンド１０とバンド１０の内側にクッション１２が設けられている。
【００２５】  中空容器７を頭部に装着する際にバンド１０の弾力により頭部を挟み込むように固定できる。バンド１０の円弧の大きさや弾性は中空容器を頭部に装着した際に圧迫感を伴わない程度にすることが望ましい。また、額に硬い部分が当たらないように、クッション１２が額に当たるように配置されている。特に必要が無ければ、クッション１２は無くても良いし、バンド１２の内側全体に配置されていても良い。
【００２６】  上述の実施例では、中空容器７は一方向にのみ湾曲しているか、実施例の湾曲方向と直角方向にも湾曲した３次元形状でも良い。ここで、炭酸温水はシャンプーボウル１に溜めるようになされているが、液体を溜められる容器であれば特に限定はしない。そして、上述の実施例では、高濃度炭酸温水を例に挙げているが、低濃度の炭酸温水であっても良いし、トリートメント剤を含有する水や温水であっても良いし、頭皮や頭髪のケアになるその他の液体であっても良い。
【発明の効果】
【００２７】  高濃度炭酸温水による頭皮および頭髪ケアは、高濃度炭酸温水を頭皮や頭髪に掛けながらマッサージを行うのが一般的であるが、その場合長時間行うことは施術者への負担が大きく、またお湯や炭酸ガスの消費が多くなり非経済的である。本発明の方法によれば、５分から１０分放置しておくことができ、お湯や炭酸ガスを消費することも無く経済的で、なにより施術者が付き切りにならないので施術者の負担が軽減され、さらに他の人の施術を行うこともできる。
【００２８】  また、従来の方法で髪を高濃度炭酸温水に漬けておく場合、頭部が浸かっていないため、その部分のケアができないことと、冷えて寒くなるため定期的に溜めてある炭酸温水を頭部に掛けることが多いが、その際、炭酸温水に衝撃が加わることになり、大量の炭酸ガスがお湯から抜け、炭酸濃度が急激に下がってしまい効果が期待できなくなる。
【００２９】  しかし、本発明の方法によれば、静かに少量の炭酸温水を頭部に流すため、頭皮や頭髪全体が長時間高濃度炭酸温水に接触しており全体のケアができ、さらに、炭酸温水に衝撃を与えないため、炭酸ガスが抜けにくく、５分から１０分行っても、炭酸ガス濃度を高濃度に保っておくことができ効果的である。
【００３０】  また、パーマを行う際に巻くパーマロッドに髪を巻きつけている場合でも、その上から全体に炭酸温水を掛けるようになされているため、髪全体に長時間炭酸温水を掛け流すことができ、パーマの仕上がりをより良くする事が期待できる。
【図面の簡単な説明】
【００３１】
【図１】：本発明の代表的な実施例を示す
【図２】：本発明の構成を示す
【図３】：本発明の中空容器を示す
【図４】：本発明の中空容器の断面図を示す
【図５】：図４のＣ部詳細図を示す
【符号の説明】
【００３２】１  シャンプーボウル  、  ２  配水管  、  ３  栓
４  高濃度炭酸温水  、  ５  ポンプ  、  ６  チューブ
７  中空容器  ８  炭酸温水  、９  吸盤
１０  バンド  、  １１  スイッチ  １２  クッション
１３  電源プラグ  、  １４  上カバー  、  １５  下カバー
１６  穴  、１７  空間
【図１】
2014042794.tif 000003
【図２】
2014042794.tif 000004
【図３】
2014042794.tif 000005
【図４】
2014042794.tif 000006
【図５】
2014042794.tif 000007